(57)【要約】【課題】持ち運びが容易で、野外で好ましく用いることができ、コンロ等を載置してもその高さが気にならず、また着席者に均等な座席スペースを確保し得る収納スペース付テーブルを提供する。【解決手段】本発明の多目的テーブル１０は、中央部２８に開口孔３０を有する六角形状の木製の天板３４と、幅Ｗおよび高さＨが同一の６枚の木製の板状部材１４を結合して、筒状部２２を形成する脚柱１８と、筒状部２２の中空部２６を上下に仕切る木製の仕切り板３８とから構成される。脚柱１８は、中空部２６が開口孔３０に導通するように筒状部２２を開口孔３０の周縁部３２に接続させて天板３４に取り付けられる。【選択図】　図１
2004081722.tif 000002
【特許請求の範囲】
【請求項１】
天板の中央部を１の脚柱で支持してなるテーブルであって、
前記天板が前記中央部に開口孔を有し、
かつ前記脚柱が、前記開口孔の周縁部に接続されて立ち下がる周面を備えた筒状部を有し、
前記筒状部の中空部が収納スペースとして利用可能な多目的テーブル。
【請求項２】
前記中空部を上下に仕切る仕切り板を備える請求項１に記載の多目的テーブル。
【請求項３】
前記仕切り板を着脱自在に係止する係止手段が、前記筒状部の内周面にあって前記筒状部の長手方向に１または多段に設けられ、前記仕切り板の係止位置が選択可能とされた請求項２に記載の多目的テーブル。
【請求項４】
前記筒状部の内周面および／または前記仕切り板の面が、耐熱加工あるいは防水加工された請求項２または３に記載の多目的テーブル。
【請求項５】
前記脚柱が、着脱自在に前記天板に取り付けられる請求項１から４のいずれかに記載の多目的テーブル。
【請求項６】
前記天板が、前記天板を二分してなる一対の分割片から構成され、かつ前記分割片どうしが折り畳み可能に連結された請求項１から５のいずれかに記載の多目的テーブル。
【請求項７】
前記天板が六角形状である請求項１から６のいずれかに記載の多目的テーブル。
【請求項８】
前記筒状部が断面多角形状であり、複数の板状部材を折り畳み可能に結合してなる請求項１から７のいずれかに記載の多目的テーブル。
【請求項９】
隣接する前記板状部材の少なくとも一対が着脱可能に結合された請求項８に記載の多目的テーブル。
【発明の詳細な説明】
【０００１】
【発明の属する技術分野】
本発明は、テーブルを構成する天板の略中央に収納スペースを有し、かつ脚柱によって着席場所が制限されることがない多目的テーブルに関する。
【０００２】
【従来の技術】
従来、天板と脚柱とから構成されるテーブルにおいて、天板が中央に開口部を有し、かつかかる開口部を覆うように天板の下面に箱体が取り付けられてなるテーブルが開発されている。これにより、コンロ等の加熱手段をテーブルに載置する際、加熱手段は箱体に収納し得るため、加熱手段の上面を天板の上面と同一高さにすることができた。このため、かかるテーブルは、天板に加熱手段を載置しても加熱手段の高さが気になることがなく、バーベキュー等に好ましく用いることができた。
【０００３】
また、上記テーブルにおいて、箱体と脚柱とが折り畳み可能に天板に取り付けられてなるテーブルも開発されている（特開平７−２８４４１３号公報）。これにより、かかるテーブルは持ち運びに便利で、野外バーベキューや野外キャンプ等に好ましく用いることができた。
【０００４】
しかしながら、上記従来のテーブルにおいては、脚柱が天板の四隅に設けられて構成されるため、天板の四隅付近の着席者は、かかる脚柱が邪魔になって足を伸ばすことができなかった。したがって、脚柱が設けられる天板付近には座席スペースを確保することができず、テーブルの全ての周縁を有効に利用して、着席者の人数に応じて座席スペースを均等に割り振ることができなかった。
【０００５】
【発明が解決しようとする課題】
本発明の目的は、持ち運びが容易で、野外で好ましく用いることができ、コンロ等を載置してもその高さが気にならず、また着席者に均等な座席スペースを確保し得る多目的テーブルを提供することにある。
【０００６】
【発明を解決するための手段】
本発明にかかる多目的テーブルの要旨とするところは、天板の中央部を１の脚柱で支持してなるテーブルであって、前記天板が前記中央部に開口孔を有し、かつ前記脚柱が、前記開口孔の周縁部に接続されて立ち下がる周面を備えた筒状部を有し、前記筒状部の中空部が収納スペースとして利用可能なことにある。
【０００７】
また、本発明にかかる多目的テーブルにおいて、前記中空部を上下に仕切る仕切り板を備えることにある。
【０００８】
かかる構成により、本発明にかかるテーブルは、天板の略中央にあって、天板の上面より下方に収納スペースを有することとなるだけでなく、脚柱が着席者の足の置き場を邪魔することがない。
【０００９】
また、本発明にかかる多目的テーブルにおいて、前記仕切り板を着脱自在に係止する係止手段が、前記筒状部の内周面にあって前記筒状部の長手方向に１または多段に設けられ、前記仕切り板の係止位置が選択可能とされたことにある。
【００１０】
かかる構成により、天板の上面から仕切り板までの中空部の深さを任意に調整できることとなる。
【００１１】
また、本発明にかかる多目的テーブルにおいて、前記筒状部の内周面および／または前記仕切り板の面が、耐熱加工あるいは防水加工されたことにある。
【００１２】
かかる構成により、本発明にかかる多目的テーブルにコンロ等の加熱手段を収納してもテーブルが焼失することがない。また、水槽を収納してもテーブルが水で傷むことがない。
【００１３】
また、本発明にかかる多目的テーブルにおいて、前記脚柱が、着脱自在に前記天板に取り付けられることにある。
【００１４】
かかる構成により、本発明にかかるテーブルは、天板と脚柱を別々にして持ち運べることとなる。
【００１５】
また、本発明にかかる多目的テーブルにおいて、前記天板が、前記天板を二分してなる一対の分割片から構成され、かつ前記分割片どうしが折り畳み可能に連結されたことにある。
【００１６】
かかる構成により、本発明の多目的テーブルにおいて、天板を小さなスペースに収納できることとなる。
【００１７】
また、本発明にかかる多目的テーブルにおいて、前記天板が六角形状であることにある。
【００１８】
かかる構成により、本発明の多目的テーブルは、各辺に一人づつ人を配置して利用した際、各着席者どうしの肘が当たることが防止され、着席者は手狭感を覚えることがない。
【００１９】
また、本発明にかかる多目的テーブルにおいて、前記筒状部が断面多角形状であり、複数の板状部材を折り畳み可能に結合してなることにある。
【００２０】
かかる構成により、本発明の多目的テーブルが備える脚柱を、潰れた筒状にして、小スペースに収納することができる。
【００２１】
また、本発明にかかる多目的テーブルにおいて、隣接する前記板状部材の少なくとも一対が着脱可能に結合されたことにある。
【００２２】
かかる構成により、本発明にかかる多目的テーブルが備える脚柱が、奇数枚の板状部材からなる場合であっても、筒状部を含んでなる脚柱を板状部材の積層体にして、小スペースに収納することができる。
【００２３】
【発明の実施の態様】
本発明にかかる多目的テーブルの態様を図面に従って以下に詳しく説明する。
【００２４】
図１に、本発明にかかる多目的テーブルの第１実施形態を示す。また図２に、図１の多目的テーブルのＡ−Ａ’断面を示す。図３に、図１の多目的テーブルを上方向からみた状態を示す。図４に、図１の多目的テーブルにかかる脚柱の折り畳み状態を示す。図５（ａ）および（ｂ）に、第２の係止手段の取り付け態様を示す。図６に、図３の多目的テーブルのＢ−Ｂ’断面を示す。
【００２５】
図１に従えば、本発明の多目的テーブル１０は、開口孔３０を有する六角形状の木製の天板３４と、幅Ｗおよび高さＨが各々同一の６枚の木製の板状部材１４を結合して、筒状部２２を形成する脚柱１８と、筒状部２２の中空部２６を上下に仕切る木製の仕切り板３８とから構成される。ここにおいて、脚柱１８は、中空部２６が開口孔３０に導通するように筒状部２２を開口孔３０の周縁部３２に接続して天板３４に取り付けられる。
【００２６】
天板３４の脚柱１８への取り付けは、より詳細には、図２に示すように、天板３４の開口孔３０に脚柱１８を嵌入させて、脚柱１８の上端側壁に設けられた第１の係止手段４２上に天板３４を載置することにより行う。ここで、天板３４は脚柱１８に着脱自在となっている。かかる構成により、本発明のテーブル１０は、天板３４と脚柱１８とを別々にして持ち運ぶことができ、野外への持ち運びが容易になる。
【００２７】
また、仕切り板３８の筒状部２２への取り付けは、脚柱１８の筒状部２２の内周面に設けられた第２の係止手段４６上に仕切り板３８を載置することにより行う。なお、仕切り板３８は筒状部２２に着脱自在となっている。かかる構成により、後述するように、脚柱１８を潰れた筒状にすることが可能になる。
【００２８】
第２の係止手段４６は、筒状部２２の長手方向に多段に設けられることが好ましい。かかる構成により、仕切り板３８は第２の係止手段４６により係止位置を選択することが可能となるため、本発明にかかるテーブル１０は、高さの異なる種々の物品をテーブル１０に収納する場合であっても、収納される物品に応じてその上面を天板３４の上面と同一高さに調整することができる。
【００２９】
本発明の多目的テーブル１０が備える脚柱１８は、図３に示すように、６枚の板状部材１４をそれぞれヒンジ５０で結合して形成される。ここで、かかる板状部材１４は、幅Ｗを３０〜４０ｃｍ、高さＨを２５〜３５ｃｍとすることが好ましい（図１）。本発明のテーブル１０の脚柱１８をかかる幅の板状部材１４から構成することにより、本発明のテーブル１０が横転することを防止し得るだけでなく、脚柱１８の持ち運び容易性を保持しつつも、中空部２６にコンロ等の種々の物品を収容し得ることとなる。また、本発明のテーブル１０の脚柱１８をかかる高さの板状部材１４から構成することにより、着席者は、テーブル１０の設置面と同一面に腰をおろしても、天板３４の位置が着席者のみぞおち辺りにくることとなる。このため、本発明のテーブル１０を野外で使用する際、別個に椅子を用意する手間を省くことができる。
【００３０】
また、かかる板状部材１４をそれぞれヒンジ５０で結合することにより、本発明の多目的テーブル１０の脚柱１８は、図４に示すように、テーブル１０の収納時において潰れた筒状に変形することができる。したがって、本発明にかかる脚柱１８は、収納時にかさ張ることがなく、野外への持ち運びがより一層容易になる。
【００３１】
なお、脚柱１８を潰れた筒状に変形した場合において、第２の係止手段４６がかさ張ることを防ぐために、第２の係止手段４６は、図５（ａ）に示すように、ヒンジ４４によって引き倒し可能となっていることが好ましい。あるいは、脚柱１８を潰れた筒状に折り畳んだ際に第２の係止手段４６を挿入しうるように、各板状部材１４には、各第２の係止手段４６が当接する位置に受孔２８が形成されることが好ましい。このためには、例えば図５（ｂ）に示すように、第２の係止手段４６を設ける位置を、すべての板状部材１４について同じ高さｄ１とし、かつ筒状部２２の内側から見て右側の辺から第２の係止手段４６に至る距離を同じ値ｄ２とし、また受孔２８を設ける位置を、すべての板状部材１４について第２の係止手段４６と同じ高さｄ１とし、かつ筒状部２２の内側からみて左側の辺から受穴２８に至る距離を前記値ｄ２に等しくすればよい。
【００３２】
本発明の多目的テーブル１０が備える天板３４は、一辺が６５〜７５ｃｍの正六角形状の部材から構成されることが好ましい。また、天板３４は、図６にも示すように、天板３４を二分してなる一対の分割片５４から形成され、かつ各分割片５４の辺どうしを対向させてヒンジ５６で連結して構成される。
【００３３】
本発明のテーブル１０の天板３４をかかる大きさから構成することにより、天板３４の野外への持ち運び容易性を確保しつつも、各辺に一人づつ人を配した際に各着席者が手狭感を覚えることを防ぐことができる。
【００３４】
また、天板３４をヒンジ５６で連結してなる分割片５４から構成することにより、天板３４を折り畳み可能な構造とすることができ、小さな収納スペースに天板３４を収めることが可能となる。したがって、野外への持ち運びが容易になる。
【００３５】
本発明の多目的テーブル１０が備える脚柱１８、天板３４および仕切り板３８は、その厚みを２ｃｍ程度とすることが好ましい。これにより、天板３４に大きな荷重をかけてもテーブル１０が変形することを防いで、テーブル１０としての機能を保持しつつも、テーブル１０自体の重量を極力軽くすることができる。
【００３６】
本発明の多目的テーブル１０は、筒状部２２の内周面、および仕切り板３８の少なくとも一方の面に断熱材を配した後、さらにその断熱材の外表面に金属板を積層して、脚柱１８に形成される収納スペースの表面を耐熱構造とすることが好ましい。これにより、脚柱１８の中空部２６にコンロ等の加熱手段を収納しても、板状部材１４、および仕切り板３８が焼失することを防ぐことができる。
【００３７】
あるいは、本発明の多目的テーブル１０は、筒状部２２の内周面、および仕切り板３８の少なくとも一方の面に防水塗料を塗布する等して、収納スペースを防水加工しておくことが好ましい。これにより、脚柱１８の中空部２６に水槽を設置して、かかる水槽に観賞魚等を放して用いても、板状部材１４、および仕切り板３８が水で腐ることがない。
【００３８】
図７に、本発明にかかる多目的テーブルの第２実施形態を示す。また、図８に、本発明にかかる多目的テーブルの第３実施形態を示す。
【００３９】
図７に従えば、本発明の多目的テーブル１０は、先の第１実施形態において、係止手段が脚柱１８の上端側壁に設けられずに、上端に凸部６２が形成されて構成されている。かかる脚柱１８への天板３４の取り付けは、天板３４を脚柱１８の上端に載置しつつ、天板３４の内周縁に設けられた凹部６６に凸部６２を嵌合させて、天板３４を脚柱１８に固定することにより行う。かかる構成により、本発明のテーブル１０は、脚柱１８を潰れた筒状にした際に、係止手段が脚柱１８の外表面から突き出ることがない。このため、脚柱１８の収納時において、係止手段が邪魔になることを防止することができる。
【００４０】
また、図８に従えば、本発明の多目的テーブル１０は、先の第１実施形態において、係止手段が脚柱１８の上端側壁に設けられずに、脚柱１８が上端断面の狭まった角柱から構成されている。ここにおいて、かかる脚柱１８の上端開口部７０の外径は天板３４の開口孔３０よりも小さく、一方、下端開口部７４の外径は天板３４の開口孔３０よりも大きく設定される。したがって、第３実施形態において、本発明のテーブル１０は、脚柱１８の側壁７８そのものが第１の係止手段４２としての機能を有することとなる。かかる脚柱１８への天板３４の取り付けは、天板３４の開口孔３０に脚柱１８を挿通して、脚柱１８の外径が天板３４の開口孔３０と同一となる位置まで天板３４を押し下げることにより行う。なお、脚柱１８がかかる形状から構成される場合、脚柱１８を構成する板状部材１４は、その全てが着脱可能に結合されていることが好ましい。かかる構成により、脚柱１８を板状部材１４の積層体にして収納することが可能となる。
【００４１】
なお、他の部分の構成等については、先の第１の実施形態によるものと同一であるため、ここでの説明は省略する。
【００４２】
以上、本発明の多目的テーブル１０の実施態様を詳述したが、本発明は上述の実施態様に限定されるものではなく、その他の態様でも実施しうるものである。
【００４３】
本発明の多目的テーブル１０は、テーブルとして通常採用される大きさであればよい。また、椅子とともに用いる態様であってもよい。したがって、本発明のテーブル１０における脚柱１８を構成する板状部材１４の幅や高さ、天板３４の一辺の長さ、あるいはかかる板状部材１４や天板３４や仕切り板３８の厚さは、前述の範囲に限定されるものではない。なお、かかる大きさは、脚柱１８の中空部２６が種々の用途を果たし得るだけのスペースを保持しつつも、野外への持ち運びに場所を取らず、かつ大人が多人数で使用しても手狭感を覚えない範囲内にあることが好ましい。
【００４４】
ここで、天板３４の外周縁の一辺と、この外周縁の一辺に平行な内周縁の一辺との距離Ｌ（図３）は、２５〜３５ｃｍとすることが好ましい。天板３４の外周縁と内周縁との距離をかかる長さにすることにより、例えば脚柱１８の中空部２６にコンロを収納して、そのコンロを用いて調理した際に、着席者は料理を取るのにさほど腕を伸ばすことを必要としない。
【００４５】
天板３４の形状は正六角形状に限られるものではなく、一辺の長さが種々異なる六角形状であってもよい。かかる形状とすることにより、短い方の一辺には子供を、長い方の一辺には大人を配する等して、両者いずれにも手狭感を与えることなく天板３４のサイズを小さくすることができる。また、かかる形状は、円形状や、あるいは六角形状以外の、例えば五角形状や八角形状等の多角形状であってもよい。本発明のテーブル１０の天板３４を円形状にすることにより、本発明のテーブル１０に着席する人数が僅かに増減する場合に有効に対処することができる。また、本発明のテーブル１０の天板３４を種々の多角形状にすることにより、本発明のテーブル１０は、利用する人数に応じて天板３４を最適な大きさに設計することができる。
【００４６】
本発明の多目的テーブル１０の脚柱１８は、テーブル１０を横転させず、形成される中空部２６が一定の大きさの物品を収納し得るだけの空間を有し、かつ脚柱１８を潰れた筒状にすることが可能であれば、幅および／または高さが同一の板状部材（１４）６枚をヒンジ５０で結合する態様に限られるものではない。すなわち、脚柱１８はいずれの枚数の板状部材からなってもよい。また、幅および／または高さの異なる板状部材を用いて構成してもよい。なお、脚柱１８を潰れた筒状にすることを容易にするために、幅および高さが各々同一の４以上の偶数枚の板状部材１４をヒンジ５０で結合して構成することが好ましい。また、隣接する板状部材１４の少なくとも一対が着脱可能に結合されていることが好ましい。かかる態様により、脚柱１８が奇数枚の板状部材１４から構成される場合であっても、脚柱１８を板状部材１４の積層体として、脚柱１８を小スペースに収納することができる。
【００４７】
本発明の多目的テーブル１０は、天板３４の略中央にあって、天板３４の高さよりも低い位置に収納スペースを有し、かかる収納スペースに物品を収納した際にこの物品の高さが天板３４と同一高さとなるようにして、物品の高さが気にならないものとし、かつ、脚柱１８によって着席場所が制限されることがない構造であれば、いずれの態様からなってもよい。すなわち、本発明のテーブル１０は、脚柱１８および／または天板３４が、必ずしも折り畳み自在な構造でなくてもよい。
【００４８】
ここで、図９に、本発明にかかる多目的テーブルの第４実施形態を示す。
【００４９】
図９に従えば、本発明のテーブル１０が備える脚柱１８は一体成形して構成される。かかる態様により、筒状部２２の中空部２６に直接水を注ぎ入れても、水が筒状部２２から漏れ出ることがない。なお、かかる脚柱１８の天板３４への取り付けは、例えば、脚柱１８の上端側壁が備える雄螺子部（図示しない）と、天板３４の開口孔３０の側壁が備える雌螺子部（図示しない）とを螺合することにより行えばよい。
【００５０】
本発明の多目的テーブル１０は、脚柱１８の下端に台座８２を備えて構成されてもよい。かかる態様により、脚柱１８の外径を小さくして、脚柱１８が着席者の足の置き場を極力邪魔しないように設定した場合であっても、テーブル１０が横転することを防ぐことができる。
【００５１】
本発明の多目的テーブル１０は、ヒノキやケヤキ等の木材から構成されることが好ましい。これにより、本発明のテーブル１０の外観を良くすることができる。また、かかる木材を廃材から調達することにより、廃材の利用を促進することもできる。あるいは、本発明のテーブル１０は、アクリル板等の透明の樹脂板から構成されてもよい。かかる樹脂板は防水性に優れるため、例えば脚柱１８をアクリル板から一体成形により形成した場合には、筒状部２２の中空部２６に水槽を載置することなく直接水を注ぎいれて、そこに観賞魚を放すことも可能となる。また、樹脂板が透明であるため、かかる観賞魚を天板３４の開口孔３０からのみならず、脚柱１８の側壁からも眺めることが可能となり、視覚的効果に優れることとなる。
【００５２】
その他、本発明はその趣旨を逸脱しない範囲内で、当業者の知識に基づき種々なる改良、修正、変形を加えた態様で実施しうるものである。
【００５３】
【発明の効果】
本発明の多目的テーブルは、天板の略中央に取り付けられた脚柱が中空部を有するため、種々の物品をテーブルに収納することができる。また、かかる場合、物品の上面が天板の上面と同一高さとなるため、テーブルに載置される物品の高さが気になることがない。さらに、脚柱は天板の外周縁には設けられずに構成されるため、脚柱が着席者の邪魔になることがなく、したがって、座席スペースを着席者に均等に割り振ることができる。
【００５４】
また、本発明の多目的テーブルは、高さの異なる種々の物品をテーブルに収納する場合であっても、物品の上面を天板の上面と同一高さにすることができ、したがって、物品の高さが気にならないように調節できる。
【００５５】
また、本発明の多目的テーブルは、天板と脚柱とを別々にして持ち運べるため、本発明にかかるテーブルを小スペースに収納することができ、野外への持ち出しが容易になる。
【００５６】
また、本発明の多目的テーブルは、天板および脚柱を折り畳んで小さなスペースに収納できるため、野外への持ち運びに場所をとらない。
【００５７】
また、本発明の多目的テーブルは、比較的多人数で利用できるだけでなく、天板の大きさを極力小さく設計しても着席者に手狭感を与えにくくすることができる。
【００５８】
また、本発明の多目的テーブルは、収納スペースを囲炉裏として用いたり、水を張って金魚や熱帯魚等を飼育する水槽とするなどして、多目的に用いることができる。また、外観を楽しむこともできる。
【図面の簡単な説明】
【図１】
本発明にかかる多目的テーブルの第１実施形態を示す斜視模式図である。
【図２】
図１の多目的テーブルのＡ−Ａ’断面を示す要部拡大図である。
【図３】図１の多目的テーブルを上方向からみた状態を示す模式図である。
【図４】図１の多目的テーブルにかかる脚柱の折り畳み状態を示す断面模式図である。
【図５】（ａ）第２の係止手段の取り付け態様を示す要部拡大図である。（ｂ）第２の係止手段の他の取り付け態様を示す斜視模式図である。
【図６】図３の多目的テーブルのＢ−Ｂ’断面を示す要部拡大図である。
【図７】本発明にかかる多目的テーブルの第２実施形態を示す斜視模式図である。
【図８】本発明にかかる多目的テーブルの第３実施形態を示す斜視模式図である。
【図９】本発明にかかる多目的テーブルの第４実施形態を示す斜視模式図である。
【符号の説明】
１０：多目的テーブル
１４：板状部材
１８：脚柱
２２：筒状部
２６：中空部
２８：受孔
３０：開口孔
３２：周縁部
３４：天板
３８：仕切り板
４２：第１の係止手段
４４、５０、５６：ヒンジ
４６：第２の係止手段
５４：分割片
６２：凸部
６６：凹部
７０：上端開口部
７４：下端開口部
７８：側壁
８２：台座
【図１】
2004081722.tif 000003
【図２】
2004081722.tif 000004
【図３】
2004081722.tif 000005
【図４】
2004081722.tif 000006
【図５】
2004081722.tif 000007
【図６】
2004081722.tif 000008
【図７】
2004081722.tif 000009
【図８】
2004081722.tif 000010
【図９】
2004081722.tif 000011